(57)【要約】【課題】商品の重量の実績を正確に管理することのできる商品処理装置を提供する。【解決手段】商品に関する精算を行う機能を備えた計量販売装置に関する。商品の単位重量に対する単価を商品ごとに記憶する記憶手段と、商品に付された識別コードから当該商品の商品コードおよび価格を読み取るリーダ９と、前記リーダ９で読み取った前記商品の価格を前記記憶手段に記憶された当該商品の前記単価で除算して商品の重量を演算する第１演算手段と、前記第１演算手段で算出された重量を積算した値を含む売り上げの実積重量を商品ごとに算出する第２演算手段とを備えている。【選択図】        図１
2007132830.tif 000002
【特許請求の範囲】
【請求項１】
商品に関する精算を行う機能を備えた計量販売装置であって、
商品の単位重量に対する単価を商品ごとに記憶する記憶手段と、
商品に付された識別コードから当該商品の商品コードおよび価格を読み取るリーダと、
前記リーダで読み取った前記商品の価格を前記記憶手段に記憶された当該商品の前記単価で除算して商品の重量を演算する第１演算手段と、
前記第１演算手段で算出された重量を積算した値を含む売り上げの実績重量を商品ごとに算出する第２演算手段とを備えた商品処理装置。
【請求項２】
請求項１において、商品の重量を計量するための計量手段を更に備えた商品処理装置。
【請求項３】
請求項２において、前記第１演算手段で算出された重量と、前記計量手段で計量された商品の重量とを積算して前記売り上げの実績重量を前記第２演算手段が算出する商品処理装置。
【請求項４】
請求項１、２もしくは３において、前記商品ごとの前記実績重量を表示する表示手段を更に備えた商品処理装置。
【請求項５】
請求項１から４のいずれか１項において、前記実績重量に基づいて商品ごとの残量を演算する第３演算手段を更に備えた商品処理装置。
【請求項６】
請求項１から５のいずれか１項において、前記リーダで読み取った識別コードから風袋の種別を特定する特定手段と、前記特定手段により特定された風袋の重量を風袋込みの重量から減算して風袋引きを行うことを可能とした商品処理装置。
【発明の詳細な説明】
【技術分野】
【０００１】
本発明は、商品を計量して精算を行う商品処理装置に関する。
【背景技術】
【０００２】
たとえば、スーパーマーケットやデパートの地下などで売られるポテトサラダなどの惣菜は、該スーパーマーケット内や近隣の工場で製造されている。前記惣菜などは一日のうちに複数回に分けて製造される。そのため、売れ残りや商品不足を回避するため、売れた重量や売れ残った重量を商品毎に知ることは重要である。
従来より、商品の計量機能を有する商品処理装置において、販売済の商品の総重量を把握する装置が提案されている（特許文献１）。かかる装置では、その都度計り売りされる商品の重量が積算されて記憶される。
【特許文献１】特公昭６１−５６０５号（第４頁）
【発明の開示】
【発明が解決しようとする課題】
【０００３】
しかし、前記計り売りの販売形態とは別に、商品が予め計量され値付・包装された、いわゆるプリパック商品の販売形態が混在する場合がある。かかるプリパックの商品には、商品の価格や商品情報と共にバーコードが印字されたラベルが貼付される。精算時には、レジのバーコードスキャナで当該バーコードが読み取られ精算される。前記バーコードには、商品コードと価格のみが記録されており、商品重量についての記録領域が確保されていない。そのため、前記プリパックされた商品については、販売済の分量が把握できない。
【０００４】
特に、こうした生ものの商品は生産当日に売り切ることが利幅および品質の双方から極めて重要である。そのため、時間帯や天候、曜日などの要因に応じて値下げが不定期に実行されるので、販売総額から販売分量を知ることはできない一方で、前記販売分量を把握することは重要である。
【０００５】
したがって、本発明の目的は、商品の重量の実績を正確に管理することのできる商品処理装置を提供することである。
【課題を解決するための手段】
【０００６】
前記目的を達成するために、本発明の商品処理装置は、商品に関する精算を行う機能を備えた計量販売装置であって、商品の単位重量に対する単価を商品ごとに記憶する記憶手段と、商品に付された識別コードから当該商品の商品コードおよび価格を読み取るリーダと、前記リーダで読み取った前記商品の価格を前記記憶手段に記憶された当該商品の前記単価で除算して商品の重量を演算する第１演算手段と、前記第１演算手段で算出された重量を積算した値を含む売り上げの実績重量を商品ごとに算出する第２演算手段とを備えている。
【発明の効果】
【０００７】
本発明によれば、リーダで読み取った商品の価格を、記憶手段に記憶された当該商品の単価で除算することで重量を算出することにより、売り上げた重量の実績を正確に管理することができる。したがって、識別コードにより精算を行うことで、計量を行わないプリパックの商品であっても、売り上げた重量の実績を管理することができる。
【発明を実施するための最良の形態】
【０００８】
本発明においては、商品の重量を計量するための計量手段を更に備えていてもよい。
【０００９】
本計発明においては、前記第１演算手段で算出された重量と、前記計量手段で計量された商品の重量とを積算して前記売り上げの実績重量を前記第２演算手段が算出可能とするのが好ましい。
本態様によれば、計り売りの商品と、プリパックの商品とが混在していても売り上げの実績重量を算出することができる。
【００１０】
本発明においては、前記商品ごとの前記実績重量を表示する表示手段を更に備えるのが好ましい。
本態様によれば、実績重量が表示手段に表示されるので、該実績重量を直ちに知ることができる。
【００１１】
本発明においては、前記実績重量に基づいて商品ごとの残量を演算する第３演算手段を更に備えるのが好ましい。
本態様によれば、商品ごとの残量を演算することにより、いつでも商品の正確な残量を知ることができる。
【００１２】
本発明においては、前記リーダで読み取った識別コードから風袋の種別を特定する特定手段と、前記特定手段により特定された風袋の重量を風袋込みの重量から減算して風袋引きを行うことを可能とするのが好ましい。
本態様によれば、値引きされた特価商品などであっても、商品の計量値から風袋引きを行うことにより、正確な商品重量を算出することができる。
【実施例１】
【００１３】
以下、本発明の実施例を図面にしたがって説明する。
図１〜図５は実施例１を示す。
図１（ａ）に示すように、対面秤（商品処理装置の一例）１は、たとえば、食品などの商品の本体が陳列されたショーケース２の上に載置されて用いられる。前記対面秤１は、計り売りと、プリパック商品の販売の両方の販売形態に用いられる。
【００１４】
計り売り：
前記対面秤１は、買い上げる商品の重量を計量して商品に関する精算を行うキャッシュレジスタ（計量販売装置）である。計り売りの場合、販売員（オペレータ）は顧客からの買い上げ予定の商品を指定されると、ショーケース２内のバット２ｂから該当の商品本体を必要量取り出し、対面秤１で計量等を行った後、精算を行う。
【００１５】
プリパック商品の販売：
一方、前述の計り売りの販売形態と並行して、プリパック商品の販売が行われる。プリパック商品とは、予め計量・値付され、トレーＴに詰められて包装された商品である。プリパック商品の販売の場合、図５（ａ）に示すように、プリパック商品Ｍには、商品の価格や商品情報と共にバーコード（識別コードの一例）Ｂが印字されたラベルＬが予め貼付されている。精算時には、図１（ｂ）に示す対面秤１のバーコードリーダ（リーダの一例）９で当該バーコードＢに記録された価格が読み出されて精算が行われる。
【００１６】
全体構成：
図１（ｂ）は、販売員側から見た対面秤１の斜視図である。
図１（ｂ）に示すように、対面秤１は商品（被計量物）などを載置する載置皿２０を備えている。載置皿２０は図示しないロードセルに支持されており、載置皿２０およびロードセルは図２に示す計量手段８を構成している。
【００１７】
機器構成：
図２に示すように、対面秤１においては、タッチスクリーン（表示手段）３、顧客用表示器４、ストロークキー部５、レシート印字手段６、ラベル印字手段７、計量手段８およびバーコードリーダ９などが、図示しないインターフェイスを介してコンピュータ１０に接続されている。
【００１８】
前記コンピュータ１０は、ＣＰＵ（演算手段）１１、ハードディスク（記憶手段）１２、メモリ１３および計時を行うタイマ１４などを備えている。
【００１９】
前記ハードディスク１２は商品マスタ記憶部１２ａ、風袋マスタ記憶部１２ｂおよび販売実績記憶部１２ｃなどを備えている。
図３（ａ）に示すように、前記商品マスタ記憶部１２ａには、商品コード、品名、単価、品出量、実績重量、残量、売上点数、売上額および風袋No. などからなる商品情報が互いに関連付けられて記憶されている。
図３（ｂ）に示すように、前記風袋マスタ記憶部１２ｂには、風袋No. および風袋重量などが互いに関連付けられて記憶されている。
図３（ｃ）に示すように、販売実績記憶部１２ｃには、商品の販売時刻、商品コード、品名、単価、重量および金額などが商品毎に記憶される。
【００２０】
図１（ｂ）に示すように、タッチスクリーン３は、販売員側に設けられている。タッチスクリーン３に表示された表示画面の一部を指でタッチすることにより入力を行うことが可能である。
【００２１】
タッチスクリーン３には、図４（ａ）および図５（ｂ）に示す商品選択画面などが表示されると共に、図４（ｂ）に示す単品実績表示窓３２などがポップアップ表示される。
図４（ａ）および図５（ｂ）に示すように、商品選択画面には、商品指定キー３１、重量・金額表示エリア３４およびタブキー３５などが表示される。
図４（ｂ）に示す単品実績表示窓３２には、商品名、当該商品の現在までの売上額、実績重量および売上点数などが表示される。
【００２２】
プリパック商品Ｍ：
図５（ａ）に示すプリパック商品Ｍは、前述のように、予め計量・包装・値付けが行われた後、バーコードＢを含む商品情報が印字されたラベルＬが貼付されている。前記バーコードＢには、商品コードおよび価格が記録されている。
図２のバーコードリーダ９は、前記バーコードＢを読み取り、当該バーコードＢに記録された商品コードおよび価格をＣＰＵ１１に送信する。ＣＰＵ１１は、当該商品コードに基づき、該商品コードに対応する商品情報を商品マスタ記憶部１２ａから読み出す。
【００２３】
演算手段１１ａ〜１１ｃ：
図２に示す前記ＣＰＵ１１は、第１〜第３演算手段１１ａ〜１１ｃを備えている。
第１演算手段１１ａは、バーコードリーダ９で読み取られた前記商品Ｍの価格を、前記商品マスタ記憶部１２ａに記憶された当該商品Ｍの単価で除算して、商品Ｍの重量を算出する。
【００２４】
第２演算手段１１ｂは、プリパック商品の場合、第１演算手段１１ａで算出された商品重量を、商品マスタ記憶部１２ａから読み出した当該商品の実績重量（販売量）に加算し、新たな実績重量を算出する。
一方、計り売りの場合、第２演算手段１１ｂは、計量手段８で計量され、風袋引きされた商品重量を、商品マスタ記憶部１２ａから読み出した当該商品の実績重量に加算し、新たな実績重量を算出する。したがって、前記実績重量は、商品重量が積算された値で、かつ、実際に販売された商品の重量である。
【００２５】
第３演算手段１１ｃは、商品マスタ記憶部１２ａに記憶された商品の品出量から、第２演算手段１１ｂによって算出された実績重量を減算し、残量を算出する。
【００２６】
前記ＣＰＵ１１は、顧客からの預かり金が入力されると、当該預かり金から買い上げの合計金額を減算し、釣銭額を算出してタッチスクリーン３および顧客用表示器４に表示させると共に、レシート印字手段６からレシートやラベルを発行させる精算機能を有している。
【００２７】
対面秤１の運用：
販売員が所定の操作を行うと、図４（ａ）に示す商品選択画面がタッチスクリーン３に表示される。商品選択画面には、商品指定キー３１や、重量・金額表示エリア３４、タブキー３５などが表示される。商品指定キー３１は、１つの画面に複数個表示され、それぞれの商品指定キー３１には、各商品に対応する商品名等が表示される。
【００２８】
計り売りの場合；
計り売りの場合には、顧客から買上げを希望する商品と重量が告げられると、販売員は、タッチスクリーン３に表示されたタブキー３５を押下して、当該商品を含む商品群を商品指定キー３１に表示させる。販売員は、表示された商品群の中から、当該商品に対応する商品指定キー３１を押下する。
【００２９】
販売員は、顧客の希望する商品を、図１（ｂ）の載置皿２０上に載せて計量し、当該商品の計り売りを行う。なお、販売員は、商品を詰めるトレー（風袋）を、図示しない風袋ボタンを押下することで指定する。
【００３０】
すなわち、図２のＣＰＵ１１は、計量手段８からの重量信号に基づき、載置皿２０上に載置された商品の計量値を算出する。ＣＰＵ１１は、図３（ｂ）に示す風袋マスタ記憶部１２ｂから前記風袋ボタンに対応する風袋No. の風袋重量を読み出し、前記計量値から当該風袋重量を減算して商品重量を算出する。ＣＰＵ１１は、当該商品指定キー３１に対応する商品コードに関連付けられた商品単価を、図３（ａ）に示す商品マスタ記憶部１２ａから読み出し、当該商品単価に前記商品重量を乗算することにより、商品価格を算出する。
かかる演算により、図４（ａ）の重量・金額表示エリア３４には、風袋重量、商品重量、単価および価格が表示され、商品の精算が行われる。
【００３１】
商品の精算が行われると、図２のＣＰＵ１１は、タイマ１４から読み出した現在時刻と、当該商品の商品コード、品名、単価、商品重量および金額等を互いに関連付けて、販売実績記憶部１２ｃに記憶させる。
【００３２】
第２演算手段１１ｂは、ＣＰＵ１１が商品マスタ記憶部１２ａから読み出した売り上げの実績重量に、商品重量を加算し、新たな実績重量を算出する。第３演算手段１１ｃは、当該商品の品出量から前記実績重量を減算し、残量を算出する。ＣＰＵ１１は、算出された実績重量および残量を、商品マスタ記憶部１２ａの当該商品に対応する実績重量欄および残量欄に上書き保存する。一方、ＣＰＵ１１は、商品マスタ記憶部１２ａの当該商品の売上点数をインクリメントすると共に、売上額に当該金額を加算した新たな売上額を上書き保存する。
【００３３】
プリパック商品の販売の場合；
一方、顧客がプリパック商品Ｍをレジに持参した場合には、販売員は、図１（ｂ）のバーコードリーダ９を用い、図５（ａ）のバーコードＢに記録された商品コードおよび価格を読み取らせる。前記バーコードＢの読み取りにより、図５（ｂ）に示す商品選択画面が表示される。前記プリパック時の商品選択画面には、重量・金額表示エリア３４に商品価格などが表示され、当該商品価格に基づいて商品の精算が行われる。
【００３４】
すなわち、図２のＣＰＵ１１は、バーコードリーダ９から当該商品の商品コードを受け取ると、当該商品コードに対応する商品情報を商品マスタ記憶部１２ａから読み出す。第１演算手段１１ａは、バーコードリーダ９で読み取った前記商品の価格を、前記商品情報に含まれる当該商品の単価で除算し、商品重量を算出する。
【００３５】
ＣＰＵ１１は、タイマ１４から読み出した現在時刻と、当該商品の商品コード、品名、単価、商品重量および金額等を互いに関連付けて、精算後に販売実績記憶部１２ｃに記憶させる。
第２演算手段１１ｂは、前記商品情報に基づき、売り上げの実績重量に、当該商品重量を加算し、新たな実績重量を算出する。一方、第３演算手段１１ｃは、前記商品情報に基づき、当該商品の品出量から新たな実績重量を減算し、残量を算出する。
ＣＰＵ１１は、前記新たな実績重量および残量を、商品マスタ記憶部１２ａの当該商品に対応する実績重量欄および残量欄に上書き保存する。一方、ＣＰＵ１１は、商品マスタ記憶部１２ａの当該商品の売上点数をインクリメントすると共に、売上額に当該金額を加算した新たな売上額を上書き保存する。
【００３６】
販売実績の表示：
商品の売り上げ実績が知りたい場合には、販売員が商品を指定した後、所定の操作を行うと、図４（ｂ）に示す単品実績表示窓３２がポップアップ表示される。ＣＰＵ１１は、指定された商品に関連付けられた商品情報を、商品マスタ記憶部１２ａから読み出し、単品実績表示窓３２に、商品名、当該商品の現在までの売上額、実績重量（図４（ｂ）では重量計）および販売点数などを表示させる。
【００３７】
このように、プリパック商品Ｍであっても、商品ごとに売り上げた重量の実績を正確に管理することができる。そのため、計り売りとプリパック商品Ｍの販売とが混在していても、売り上げた重量の実績を正確に管理することができる。
【００３８】
一方、所定の操作を行うことにより、ＣＰＵ１１が当該商品に関連付けられた残量を商品マスタ記憶部１２ａから読み出すことにより、商品の残量をタッチスクリーン３に表示させる。
このように、第３演算手段１１ｃにより、商品ごとの残量が算出されるので、商品を複数回に分けて製造する場合には、タッチスクリーン３に表示された残量に基づき、今後、製造する商品の分量を決めることができる。
【実施例２】
【００３９】
特価品の重量算出：
ところで、「半額」や「５０円引き」、「１００円均一」など、値引きの行われた特価品の場合には、販売価格が正価でなくなるため、単価で除算しても正確な商品重量が算出できない場合がある。
そこで、本実施例２では、計量手段８を用いて、プリパック商品Ｍの重量を直接計量できるようにしている。前記計量手段８で計量された計量値には、商品を詰めたトレー（風袋）Ｔなどの風袋重量が加算されている。そのため、前記風袋重量を減算する風袋引きを行う必要がある。
【００４０】
図６は実施例２を示す。
図６に示すように、コンピュータ１０には、特定手段１１ｄが設けられている。その他の構成は、実施例１と同様であり、その説明を省略する。
【００４１】
特定手段１１ｄは、バーコードリーダ９で読み取った前記プリパック商品Ｍに貼付されたラベルＬのバーコードＢから、風袋の種別を特定する。まず、特定手段１１ｄは、バーコードリーダ９によって読み出された商品コードに基づき、商品マスタ記憶部１２ａから当該商品コードに対応する風袋No. を読み出す。ついで、特定手段１１ｄは、風袋マスタ記憶部１２ｂから当該風袋No. に対応する風袋重量を読み出す。
ＣＰＵ１１は、前記計量手段８によって計量されたプリパック商品Ｍの重量から特定手段１１ｄによって特定された風袋重量を減算して風袋引きを行う。
【００４２】
このように、値引きされた特価商品などであっても、商品の計量値から風袋引きを行うことにより、正確な商品重量を算出することができる。
【００４３】
なお、前述の各実施例では、識別コードの一例としてバーコードを用いた場合について説明したが、バーコードの代わりに、ＱＲコードのような二次元コードを用いてもよい。
【００４４】
また、全商品の実績重量や残量を、タッチスクリーン３に一覧表示させるようにしてもよいし、商品の種別ごとに分けられた商品群ごとに実績重量や残量を一覧表示させるようにしてもよい。
【産業上の利用可能性】
【００４５】
本発明は、精算機能を備えた計量販売装置に適用することができる。
【図面の簡単な説明】
【００４６】
【図１】（ａ）は本発明の実施例１にかかる商品処理装置の用い方を示す概略正面図、（ｂ）は同装置の概略斜視図である。
【図２】同商品処理装置を示す概略構成図である。
【図３】同記憶部の記憶内容を示す図表である。
【図４】表示手段の表示画面を示す正面図である。
【図５】（ａ）はプリパック商品を示す平面図、（ｂ）は表示手段の表示内容を示す正面図である。
【図６】本発明の実施例２にかかる商品処理装置を示す概略構成図である。
【符号の説明】
【００４７】
１：対面秤（商品処理装置、計量販売装置）
３：タッチスクリーン（表示手段）
８：計量手段
９：バーコードリーダ（リーダ）
１１ａ：第１演算手段
１１ｂ：第２演算手段
１１ｃ：第３演算手段
１１ｄ：特定手段
１２：ハードディスク（記憶手段）
Ｂ：バーコード（識別コード）
【図１】
2007132830.tif 000003
【図２】
2007132830.tif 000004
【図３】
2007132830.tif 000005
【図４】
2007132830.tif 000006
【図５】
2007132830.tif 000007
【図６】
2007132830.tif 000008